【手続補正書】
【提出日】平成16年1月9日(2004.1.9)
【手続補正１】
【補正対象書類名】明細書
【補正対象項目名】特許請求の範囲
【補正方法】変更
【補正の内容】
【特許請求の範囲】
【請求項１】
異なる波長の光を発光しそれぞれ独立に制御可能な複数のカラー光源からなる光源部と、該光源部を駆動する光源駆動回路と、該光源部が所定の期間毎に発光する光を制御するシャッタ部と、該シャッタ部を制御するシャッタ制御回路とを有する表示装置において、
それぞれの前記カラー光源が発光するそれぞれの発光時間は前記所定の期間内で不均一である事を特徴とする表示装置。
【請求項２】
前記カラー光源は赤、緑、青の３色の光を発光しそれぞれ独立に制御可能な３つの前記カラー光源からなる事を特徴とする請求項１に記載の表示装置。
【請求項３】
青の前記カラー光源の発光時間は赤或いは緑の前記カラー光源の発光時間より長い事を特徴とする請求項２に記載の表示装置。
【請求項４】
特定の前記カラー光源の発光時間は２つの期間に分割され、一方の期間は背景色調整期間である事を特徴とする請求項１に記載の表示装置。
【請求項５】
複数の前記カラー光源の中で発光時間の長い前記カラー光源の発光時間は２つの期間に分割され、一方の期間は背景色調整期間である事を特徴とする請求項４に記載の表示装置。
【請求項６】
異なる波長の光を発光しそれぞれ独立に制御可能な複数のカラー光源からなる光源部と、該光源部を駆動する光源駆動回路と、該光源部が発光する光を制御するシャッタ部と、該シャッタ部を制御するシャッタ制御回路とを有する表示装置において、
それぞれの前記カラー光源は単一あるいは複数のサブ光源からなり、それぞれの前記カラー光源を構成する前記サブ光源の数は一定でない事を特徴とする表示装置。
【請求項７】
前記カラー光源は赤、緑、青の３色の光を発光しそれぞれ独立に制御可能な３つの前記カラー光源からなる事を特徴とする請求項６に記載の表示装置。
【請求項８】
青の前記カラー光源を構成する前記サブ光源の数は赤或いは緑の前記カラー光源に対応する前記サブ光源の数より少ない事を特徴とする請求項７に記載の表示装置。
【請求項９】
異なる波長の光を発光しそれぞれ独立に制御可能な複数のカラー光源からなる光源部と、該光源部を駆動する光源駆動回路と、該光源部より発光が光を制御するシャッタ部と、該シャッタ部を制御するシャッタ制御回路とを有する表示装置において、
それぞれの前記カラー光源は単一あるいは複数のサブ光源からなり、ある特定の前記カラー光源を構成する前記サブ光源の数は他の前記カラー光源を構成する前記サブ光源の数より少なく、該特定の前記カラー光源が発光する発光時間には他の前記カラー光源が発光する発光時間より長い事を特徴とする表示装置。
【手続補正２】
【補正対象書類名】明細書
【補正対象項目名】００２０
【補正方法】変更
【補正の内容】
【００２０】
【課題を解決するための手段】
上記の目的を達成する為の本発明の第１の手段は、異なる波長の光を発光しそれぞれ独立に制御可能な複数のカラー光源からなる光源部と、該光源部を駆動する光源駆動回路と、該光源部が所定の期間毎に発光する光を制御するシャッタ部と、該シャッタ部を制御するシャッタ制御回路とを有する表示装置において、それぞれの前記カラー光源が発光するそれぞれの発光時間は前記所定の期間内で不均一である事を特徴とする。


【手続補正３】
【補正対象書類名】明細書
【補正対象項目名】００２１
【補正方法】変更
【補正の内容】
【００２１】
上記の目的を達成する為の本発明の第２の手段は、本発明の第１の手段に於いて前記カラー光源は赤、緑、青の３色の光を発光しそれぞれ独立に制御可能な３つの前記カラー光源からなる事を特徴とする。


【手続補正４】
【補正対象書類名】明細書
【補正対象項目名】００２２
【補正方法】変更
【補正の内容】
【００２２】
上記の目的を達成する為の本発明の第３の手段は、本発明の第２の手段に於いて青の前記カラー光源の発光時間は赤或いは緑の前記カラー光源の発光時間より長い事を特徴とする。


【手続補正５】
【補正対象書類名】明細書
【補正対象項目名】００２３
【補正方法】変更
【補正の内容】
【００２３】
上記の目的を達成する為の本発明の第４の手段は、本発明の第１の手段に於いて特定の前記カラー光源の発光時間は２つの期間に分割され、一方の期間は背景色調整期間である事を特徴とする。


【手続補正６】
【補正対象書類名】明細書
【補正対象項目名】００２４
【補正方法】変更
【補正の内容】
【００２４】
上記の目的を達成する為の本発明の第５の手段は、本発明の第４の手段に於いて複数の前記カラー光源の中で発光時間の長い前記カラー光源の発光時間は２つの期間に分割され、一方の期間は背景色調整期間である事を特徴とする。


【手続補正７】
【補正対象書類名】明細書
【補正対象項目名】００２５
【補正方法】変更
【補正の内容】
【００２５】
上記の目的を達成する為の本発明の第６の手段は、異なる波長の光を発光しそれぞれ独立に制御可能な複数のカラー光源からなる光源部と、該光源部を駆動する光源駆動回路と、該光源部が発光する光を制御するシャッタ部と、該シャッタ部を制御するシャッタ制御回路とを有する表示装置において、それぞれの前記カラー光源は単一あるいは複数のサブ光源からなり、それぞれの前記カラー光源を構成する前記サブ光源の数は一定でない事を特徴とする。


【手続補正８】
【補正対象書類名】明細書
【補正対象項目名】００２６
【補正方法】変更
【補正の内容】
【００２６】
上記の目的を達成する為の本発明の第７の手段は、本発明の第６の手段に於いて前記カラー光源は赤、緑、青の３色の光を発光しそれぞれ独立に制御可能な３つの前記カラー光源からなる事を特徴とする。


【手続補正９】
【補正対象書類名】明細書
【補正対象項目名】００２７
【補正方法】変更
【補正の内容】
【００２７】
上記の目的を達成する為の本発明の第８の手段は、本発明の第７の手段に於いて青の前記カラー光源を構成する前記サブ光源の数は赤或いは緑の前記カラー光源に対応する前記サブ光源の数より少ない事を特徴とする。


【手続補正１０】
【補正対象書類名】明細書
【補正対象項目名】００２８
【補正方法】変更
【補正の内容】
【００２８】
上記の目的を達成する為の本発明の第９の手段は、異なる波長の光を発光しそれぞれ独立に制御可能な複数のカラー光源からなる光源部と、該光源部を駆動する光源駆動回路と、該光源部より発光が光を制御するシャッタ部と、該シャッタ部を制御するシャッタ制御回路とを有する表示装置において、それぞれの前記カラー光源は単一あるいは複数のサブ光源からなり、ある特定の前記カラー光源を構成応する前記サブ光源の数は他の前記カラー光源を構成する前記サブ光源の数より少なく、該特定の前記カラー光源が発光する発光時間には他の前記カラー光源が発光する発光時間より長い事を特徴とする。


【手続補正１１】
【補正対象書類名】明細書
【補正対象項目名】００２９
【補正方法】変更
【補正の内容】
【００２９】
【発明の実施の形態】
本発明のフィールド順次型の表示装置の実施例を図５に示す。本実施例では赤、緑、青の３色のＬＥＤ（発光ダイオード）からなる光源部１を有する。光源部１は複数の３色ＬＥＤ７が配置されたＬＥＤボックス３と拡散板５からなる。本実施例の特徴は、それぞれのカラー光源は単一あるいは複数のサブ光源からなり、それぞれのカラー光源を構成するサブ光源の数は一定でない事である。図５に於いては縦に５個のサブ光源が配列され、上から順に赤、緑、青、緑、赤のＬＥＤからなる。全体ではｎ列あるので、赤、緑、青各色のＬＥＤの数は２ｎ、２ｎ、ｎとなる。光源部１は光源駆動回路８により駆動される。


【手続補正１２】
【補正対象書類名】明細書
【補正対象項目名】００４２
【補正方法】変更
【補正の内容】
【００４２】
図４の例と図１の実施例の大きな差異は、異なる波長の光を発光しそれぞれ独立に制御可能な複数のカラー光源、すなわち、赤、緑、青の３色のカラー光源に対応するサブフィールドの時間幅が、図４では均一であるのに対し、図１では不均一である事にある。具体的には青のカラー光源に対応するサブフィールドｆＢの時間幅は赤或いは緑のカラー光源に対応するサブフィールドｆＲ、ｆＧの時間幅より長い。


【手続補正１３】
【補正対象書類名】明細書
【補正対象項目名】００４５
【補正方法】変更
【補正の内容】
【００４５】
単独の原色を表示する場合のデータ信号は、その色に対応したサブフィールドのみでシャッタが透過状態（白）となるような電位を取る、例えば、赤を表示する場合のデータ信号Ｄｒは赤に対応したサブフィールドｆＲでのみシャッタが透過状態となるような電位をとる。緑を表示する場合のデータ信号Ｄｇは緑に対応したサブフィールドｆＧでのみシャッタが透過状態となるような電位をとる。青を表示する場合のデータ信号Ｄｂは青に対応したサブフィールドｆＢでのみシャッタが透過状態となるような電位をとる。


【手続補正１４】
【補正対象書類名】明細書
【補正対象項目名】００４９
【補正方法】変更
【補正の内容】
【００４９】
背景色を表示する場合のデータ信号Ｄｂｇはコモン信号Ｃと同相の信号であり、各カラー光源に対応したサブフィールドｆＲ、ｆＧ、ｆＢだけでなく、背景調整期間ｆＸでもシャッタを透過状態とする信号である。


【手続補正１５】
【補正対象書類名】明細書
【補正対象項目名】００５２
【補正方法】変更
【補正の内容】
【００５２】
また、図６の実施例では、青光源が点灯するサブフィールド（ｆＢ＋ｆＸ）が他の赤光源、緑光源の点灯するサブフィールドｆＲ、ｆＧと比較して約２倍の時間幅を持ち、各光源が点灯するサブフィールドの時間幅は不均一である。ここで、時間幅の長い青のカラー光源に対応するサブフィールドを２つに分割し、一方のサブフィールドは背景色調整期間としている。このようにする事により、背景色点灯時以外は高い色純度を実現しながら、自由に背景色を調整する事が
可能となる。
以上述べた如く、本発明は、異なる波長の光を発光しそれぞれ独立に制御可能な複数のカラー光源からなる光源部と、該光源部を駆動する光源駆動回路と、該光源部が発光する光を制御するシャッタ部と、該シャッタ部を制御するシャッタ制御回路とを有し、サブフィールド毎に特定のカラー光源を点灯させ、該サブフィールドに対応してシャッタ部を制御する事により多色表示を行う表示装置において、それぞれのカラー光源に対応するサブフィールドの時間幅は不均一である事を特徴とする。また、赤、緑、青の３色の光を発光しそれぞれ独立に制御可能な３つのカラー光源からなる光源部と、該光源部を駆動する光源駆動回路と、該光源部が発光する光を制御するシャッタ部と、該シャッタ部を制御するシャッタ制御回路とを有し、サブフィールド毎に特定のカラー光源を点灯させ、該サブフィールドに対応してシャッタ部を制御する事により赤、緑、青及びその混合色を含む多色表示を行う表示装置において、それぞれのカラー光源に対応するサブフィールドの時間幅は不均一である事を特徴とする。また、赤、緑、青の３色の光を発光しそれぞれ独立に制御可能な３つのカラー光源からなる光源部と、該光源部を駆動する光源駆動回路と、該光源部が発光する光を制御するシャッタ部と、該シャッタ部を制御するシャッタ制御回路とを有し、サブフィールド毎に特定のカラー光源を点灯させ、該サブフィールドに対応してシャッタ部を制御する事により赤、緑、青及びその混合色を含む多色表示を行う表示装置において、青のカラー光源に対応するサブフィールドの時間幅は赤或いは緑のカラー光源に対応するサブフィールドの時間幅より長い事を特徴とする。また、異なる波長の光を発光しそれぞれ独立に制御可能な複数のカラー光源からなる光源部と、該光源部を駆動する光源駆動回路と、該光源部が発光する光を制御するシャッタ部と、該シャッタ部を制御するシャッタ制御回路とを有し、サブフィールド毎に特定のカラー光源を点灯させ、該サブフィールドに対応してシャッタ部を制御する事により多色表示を行う表示装置において、特定のカラー光源に対応するサブフィールドは２つに分割され、一方のサブフィールドは背景色調整期間である事を特徴とする。また、異なる波長の光を発光しそれぞれ独立に制御可能な複数のカラー光源からなる光源部と、該光源部を駆動する光源駆動回路と、該光源部が発光する光を制御するシャッタ部と、該シャッタ部を制御するシャッタ制御回路とを有し、サブフィールド毎に特定のカラー光源を点灯させ、該サブフィールドに対応してシャッタ部を制御する事により多色表示を行う表示装置において、それぞれのカラー光源に対応するサブフィールドの時間幅は不均一であり、時間幅の長いカラー光源に対応するサブフィールドは２つに分割され、一方のサブフィールドは背景色調整期間である事を特徴とする。また、異なる波長の光を発光しそれぞれ独立に制御可能な複数のカラー光源からなる光源部と、該光源部を駆動する光源駆動回路と、該光源部が発光する光を制御するシャッタ部と、該シャッタ部を制御するシャッタ制御回路とを有し、サブフィールド毎に特定のカラー光源を点灯させ、該サブフィールドに対応してシャッタ部を制御する事により多色表示を行う表示装置において、それぞれのカラー光源は単一あるいは複数のサブ光源からなり、それぞれのカラー光源を構成するサブ光源の数は一定でない事を特徴とす
る。また、赤、緑、青の３色の光を発光しそれぞれ独立に制御可能な３つのカラー光源からなる光源部と、該光源部を駆動する光源駆動回路と、該光源部が発光する光を制御するシャッタ部と、該シャッタ部を制御するシャッタ制御回路とを有し、サブフィールド毎に特定のカラー光源を点灯させ、該サブフィールドに対応してシャッタ部を制御する事により赤、緑、青及びその混合色を含む多色表示を行う表示装置において、それぞれのカラー光源は単一あるいは複数のサブ光源からなり、赤、緑、青のそれぞれのカラー光源を構成するサブ光源の数は一定でない事を特徴とする。また、赤、緑、青の３色の光を発光しそれぞれ独立に制御可能な３つのカラー光源からなる光源部と、該光源部を駆動する光源駆動回路と、該光源部が発光する光を制御するシャッタ部と、該シャッタ部を制御するシャッタ制御回路とを有し、サブフィールド毎に特定のカラー光源を点灯させ、該サブフィールドに対応してシャッタ部を制御する事により赤、緑、青及びその混合色を含む多色表示を行う表示装置において、それぞれのカラー光源は単一あるいは複数のサブ光源からなり、青のカラー光源を構成するサブ光源の数は赤或いは緑のカラー光源に対応するサブ光源の数より少ない事を特徴とする。また、異なる波長の光を発光しそれぞれ独立に制御可能な複数のカラー光源からなる光源部と、該光源部を駆動する光源駆動回路と、該光源部より発光が光を制御するシャッタ部と、該シャッタ部を制御するシャッタ制御回路とを有し、サブフィールド毎に特定のカラー光源を点灯させ、該サブフィールドに対応してシャッタ部を制御する事により多色表示を行う表示装置において、それぞれのカラー光源は単一あるいは複数のサブ光源からなり、ある特定のカラー光源を構成応するサブ光源の数は他のカラー光源を構成するサブ光源の数より少なく、該特定のカラー光源に対応するサブフィールドの時間幅は他のカラー光源に対応するサブフィールドの時間幅より長い事を特徴とするものである。